(57)【要約】【課題】現在表示されているイベントの前後の何れかについてイベントが未確認であるか否かを報知することができる火災受信機を提供する。【解決手段】火災感知器、中継器等の複数の端末機器が接続され、端末機器からのイベント信号を受信したとき、イベント信号を受信した順に、該イベント信号を送信した端末機器の情報を所定数表示する表示部２３を備えた火災受信機であって、表示部２３に表示されている端末機器よりも先にイベント信号を送信し、かつ表示部２３には表示されていない端末機器の情報を表示させる前項表示送りスイッチ３１と、表示部２３に表示されている端末機器よりも後にイベント信号を送信し、かつ表示部２３には表示されていない端末機器の情報を表示させる次項表示送りスイッチ３２と、端末機器のイベント情報を管理する制御部２１と、表示部２３に一度も表示されない未表示の端末機器があることを報知する第１報知部４１および第２報知部４２と、を備えるものである。【選択図】図２
2014016684.tif 000002
【特許請求の範囲】
【請求項１】
火災感知器、中継器等の複数の端末機器が接続され、前記端末機器からのイベント信号を受信したとき、前記イベント信号を受信した順に、該イベント信号を送信した前記端末機器の情報を所定数表示する表示部を備えた火災受信機であって、
前記表示部に表示されている前記端末機器よりも先にイベント信号を送信し、かつ前記表示部には表示されていない端末機器の情報を表示させる前項表示送りスイッチと、
前記表示部に表示されている前記端末機器よりも後にイベント信号を送信し、かつ前記表示部には表示されていない端末機器の情報を表示させる次項表示送りスイッチと、
前記端末機器のイベント情報を管理する制御部と、
前記表示部に一度も表示されない未表示の端末機器があることを報知する未表示報知部と、を備えた
ことを特徴とする火災受信機。
【請求項２】
前記未表示報知部は、第１報知部と第２報知部とを有し、
前記第１報知部は、第１情報である前記表示部に表示されている前記端末機器よりも先にイベント信号を送信し、かつ前記表示部には表示されていない端末機器の情報の中に前記表示部に一度も表示していない端末機器の情報が存在することを報知し、
前記第２報知部は、第２情報である前記表示部に表示されている前記端末機器よりも後にイベント信号を送信し、かつ前記表示部には表示されていない端末機器の情報の中に前記表示部に一度も表示していない端末機器の情報が存在することを報知する
ことを特徴とする請求項１に記載の火災受信機。
【請求項３】
前記第１報知部は、
全ての前記第１情報が前記表示部に表示済みであるとき、全ての前記第１情報が表示済みである旨を報知し、
前記第２報知部は、
全ての前記第２情報が前記表示部に表示済みであるとき、全ての前記第２情報が表示済みである旨を報知する
ことを特徴とする請求項２に記載の火災受信機。
【発明の詳細な説明】
【技術分野】
【０００１】
本発明は、火災受信機に関する。
【背景技術】
【０００２】
従来の火災受信機は、火災発生信号のイベントが発生すると、表示部の画面上にメッセージを表示しており、イベントが多数発生して画面上に表示しきれないイベントが存在するときは、その旨を示すと共に、スイッチ操作によって画面を現在表示しているイベントに切り替えて、表示しきれないイベントをイベント発生順に表示可能としていた（例えば、特許文献１参照）。
【先行技術文献】
【特許文献】
【０００３】
【特許文献１】特開昭６２−４７７９７号公報
【発明の概要】
【発明が解決しようとする課題】
【０００４】
しかしながら、従来の火災受信機は、一度も画面に表示されていないイベントが存在し、人に確認されていないことを報知する機能がなかった。
また、従来の火災受信機は、現在表示しているイベントのその前後の何れかに画面に一度も表示されていないイベントが存在することを報知することはなかった。
この結果、従来の火災受信機は、複数の報知すべきイベントが発生した場合において、発生したイベント全てが管理人等の人に確認されていない状況が発生する可能性があるという問題点があった。
【０００５】
本発明は、上記のような問題点を解決するためになされたもので、一度も表示されていないイベントが存在することを報知し、全てのイベントを人が確認して火災等の状況を人に報知することができる火災受信機を提供することを目的とするものである。
【課題を解決するための手段】
【０００６】
本発明の火災受信機は、火災感知器、中継器等の複数の端末機器が接続され、前記端末機器からのイベント信号を受信したとき、前記イベント信号を受信した順に、該イベント信号を送信した前記端末機器の情報を所定数表示する表示部を備えた火災受信機であって、前記表示部に表示されている前記端末機器よりも先にイベント信号を送信し、かつ前記表示部には表示されていない端末機器の情報を表示させる前項表示送りスイッチと、前記表示部に表示されている前記端末機器よりも後にイベント信号を送信し、かつ前記表示部には表示されていない端末機器の情報を表示させる次項表示送りスイッチと、前記端末機器のイベント情報を管理する制御部と、前記表示部に一度も表示されない未表示の端末機器があることを報知する未表示報知部と、を備えたものである。
【０００７】
また、本発明の火災受信機において、前記未表示報知部は、第１報知部と第２報知部とを有し、前記第１報知部は、第１情報である前記表示部に表示されている前記端末機器よりも先にイベント信号を送信し、かつ前記表示部には表示されていない端末機器の情報の中に前記表示部に一度も表示していない端末機器の情報が存在することを報知し、前記第２報知部は、第２情報である前記表示部に表示されている前記端末機器よりも後にイベント信号を送信し、かつ前記表示部には表示されていない端末機器の情報の中に前記表示部に一度も表示していない端末機器の情報が存在することを報知するものである。
【０００８】
また、本発明の火災受信機において、前記第１報知部は、全ての前記第１情報が前記表示部に表示済みであるとき、全ての前記第１情報が表示済みである旨を報知し、前記第２報知部は、全ての前記第２情報が前記表示部に表示済みであるとき、全ての前記第２情報が表示済みである旨を報知するものである。
【発明の効果】
【０００９】
本発明は、前項表示送りスイッチ及び次項表示送りスイッチの両方に未確認イベント表示手段を設けることにより、現在表示されているイベントの前後の何れかについてイベントが未確認であるか否かを報知し、スイッチ操作によってそのイベントに画面を切り換えることができるという効果を有する。
【図面の簡単な説明】
【００１０】
【図１】本発明の実施の形態１における火災受信機ＦＡを含む火災報知設備の全体構成の一例を示す図である。
【図２】本発明の実施の形態１における火災受信機ＦＡの構成の一例を示す図である。
【図３】本発明の実施の形態１における火災受信機ＦＡの画面状態遷移の一例を示す図である。
【発明を実施するための形態】
【００１１】
以下、本発明の実施の形態について、図面を用いて詳細に説明する。
【００１２】
実施の形態１．
図１は、本発明の実施の形態１における火災受信機ＦＡを含む火災報知設備の全体構成の一例を示す図である。図１に示すように、光電式アナログ感知器ＳＥ１１、熱アナログ感知器ＳＥ１２、アドレッサブル発信機ＳＥ１３、地区ベル用中継器Ｂ１１、及び防排煙制御用中継器Ｄ１１が信号線ＳＧを介して火災受信機ＦＡに接続されている。信号線ＳＧを介して接続されている各機器が中位階層の機器（端末機器）に相当する。
また、地区ベル用中継器Ｂ１１には、複数の地区ベルを接続することができ、地区ベルＢ１１１、地区ベルＢ１１２、地区ベルＢ１１３、及び地区ベルＢ１１４の各機器が、制御回線を介して接続されている。また、防排煙制御用中継器Ｄ１１には、複数の防排煙機器を接続することができ、防火戸Ｄ１１１、排煙機Ｄ１１２、シャッタＤ１１３、及びたれ壁Ｄ１１４の各機器が、制御回線を介して接続されている。このように、各中継器に接続された各機器が下位階層の機器（被制御機器）に相当する。
このように、火災受信機ＦＡは、信号線ＳＧを介して、階層構造化された機器と接続されており、火災の発生を検知した場合には火災警報するとともに、必要に応じて防火戸等の防排煙機器を作動させる制御（連動制御）をすることで延焼を防ぐことができる。
なお、光電式アナログ感知器ＳＥ１１、熱アナログ感知器ＳＥ１２、及びアドレッサブル発信機ＳＥ１３を総称して火災感知器と称する。また、防火戸Ｄ１１１、排煙機Ｄ１１２、シャッタＤ１１３、及びたれ壁Ｄ１１４を総称して防排煙機器と称する。なお、「火災感知器」は、本発明における「感知器」に相当する。
【００１３】
図２は、本発明の実施の形態１における火災受信機ＦＡの構成の一例を示す図である。図２に示すように、火災受信機ＦＡは、制御部２１、送受信部２２、表示部２３、記憶部２４、操作部２５、及びメモリ２６を備える。制御部２１は、例えば、ＣＰＵで形成され、火災受信機ＦＡ全体を統括制御するものである。制御部２１は、メモリ２６にロードされるプログラム、例えば、ＯＳ及びアプリケーションプログラム等を実行する。制御部２１は、後述する前項表示送りスイッチ３１及び次項表示送りスイッチ３２を管理する。送受信部２２は、信号線ＳＧを介して、火災受信機ＦＡと接続されている機器と各種データを送受信するものである。表示部２３は、例えば、液晶ディスプレイで形成され、各種データを表示する出力デバイスである。表示部２３は、後述するように、メモリ２６にて一時的に格納した感知器の情報を所定数まで表示する。記憶部２４は、例えば、ハードディスクやフラッシュメモリ等で形成され、図示しないメモリ上にロードされるプログラム、各種データ、及び各種データベース等が格納される。操作部２５は、例えば、タッチパネルにより形成される入力デバイスであり、制御部２１で実行されるプログラムに応じた入力を行う。メモリ２６は、フラッシュメモリやリムーバブルデバイス等で形成され、記憶部２４からロードされたプログラムやデータが格納される。メモリ２６は、信号線ＳＧを介してイベント信号として火災信号を受信したとき、火災信号を受信した順に、火災信号を送信した感知器の情報を一時的に格納する。なお、最初の火災信号を第１報目と呼び、第Ｎ番目の火災信号を第Ｎ報目と呼ぶ。また、イベント信号とは、端末機器が火災を検出したり、被制御機器を動作させたり等の平常状態とは異なる状態になったときに火災受信機ＦＡに送信する信号である。
【００１４】
ここで本発明の要部である操作部２５の詳細について説明する。操作部２５は、前項表示送りスイッチ３１及び次項表示送りスイッチ３２を備える。前項表示送りスイッチ３１は、物理的には表示部２３に隣接して設けられている。前項表示送りスイッチ３１が操作されると、現在表示部２３に表示されている感知器の情報の前に受信した感知器の情報が表示部２３に表示される。なお、前項表示送りスイッチ３１が操作されることで表示される感知器の情報は、本発明における「第１情報」に相当する。次項表示送りスイッチ３２は、物理的には表示部２３に隣接して設けられている。次項表示送りスイッチ３２が操作されると、現在表示部２３に表示されている感知器の情報の後に受信した感知器の情報が表示部２３に表示される。なお、次項表示送りスイッチ３２が操作されることで表示される感知器の情報は、本発明における「第２情報」に相当する。
簡単に説明すると、１０台の火災感知器が動作して、火災信号が１０報発生している場合において、今、第５報目、つまり五番目に発報した火災感知器の情報が表示部２３の右側の表示領域に表示されている場合で説明する。前項表示送りスイッチを操作することで、表示部には、４番目に発報した火災感知器の情報が表示され、次項表示送りスイッチを操作することで、表示部には６番目に発報した火災感知器の情報が表示されることになる。
つまり、第１情報とは、複数の火災感知器が発報している状況において、現在表示部に表示されている火災感知器の直前、またはそれより前に発報した火災感知器の情報であり、第２情報とは、現在表示部に表示されている火災感知器の直後またはそれより後に発報した火災感知器の情報のことをいう。
なお、表示部２３の左側の表示領域を１報目の固定表示領域とせず、前項表示送りスイッチ３１，次項表示送りスイッチ３２が操作される度に、表示部２３に２つのイベントを順次表示できるようにしてもよい。
続いて報知部の作用について説明する。
前項表示送りスイッチ３１は、第１報知部４１を備える。第１報知部４１は、第１情報に一度も表示されたことがない未表示の情報が存在するときに、未表示の情報が存在する旨を表示する。また、第１報知部４１は、前項表示送りスイッチ３１により表示部２３に全ての未表示の第１情報が表示されたとき、第１情報に未表示の情報が存在せず、全ての第１情報が表示済みである旨を表示する。
次項表示送りスイッチ３２は、第２報知部４２を備える。第２報知部４２は、第２情報に一度も表示されたことがない未表示の情報が存在するときに、未表示の情報が存在する旨を表示する。また、第２報知部４２は、次項表示送りスイッチ３２により表示部２３に全ての未表示の第２情報が表示されたとき、第２情報に未表示の情報が存在せず、全ての第２情報が表示済みである旨を表示する。
表示部２３は、２報分を表示できる領域から構成されている。左側の表示領域には、１報目の火災信号を送信した火災感知器が固定表示され、右側の表示領域には、前項表示送りスイッチ３１，次項表示送りスイッチ３２を操作することで、２報目以降に火災信号を送信した火災感知器を表示される。
図３に示すように、表示部２３の右側の表示領域の左右に隣接して、前項表示送りスイッチ３１と次項表示送りスイッチ３２が設けられる。前項表示送りスイッチ３１，次項表示送りスイッチ３２は、互いに逆向きの三角形のマークが施されたスイッチであり、この三角形のマーク部分の表示態様を変化させることで、第１報知部４１、第２報知部４２として機能するように構成されている。
火災信号が１０報発生していて、第５報目を表示している状態で、第１情報である第３報目が未表示であり、第２情報である第７報目が未表示であるときに、第１報知部４１及び第２報知部４２が未表示の情報がある旨を表示する。そして、前項表示送りスイッチ３１を２回操作して第３報目を表示したときに全ての第１情報が表示済みである旨を表示する。このとき、第３報目を表示中であるので第３報目の後のイベントである第７報目は、まだ未表示であるため第２報知部４２は未表示の情報がある旨を表示する。
なお、第１報知部４１および第２報知部４２が未表示報知部に相当する。
【００１５】
なお、感知器の情報を形成するデータ構造は特に限定するものではない。例えば、感知器の情報が、第１報目であるか、第２報目であるか、つまり、第Ｎ報目（Ｎは自然数）であるか否かを判定するには、感知器の情報が火災受信機ＦＡへ到着した到着順で管理すればよい。また、例えば、感知器の情報が表示済みであるか否かについては、未表示か否かを判定する未表示判定フラグで管理すればよい。つまり、到着順と、未表示判定フラグとで感知器の情報が管理され、到着順及び未表示判定フラグと、データの格納先アドレスとが紐付けされ、該当する感知器の情報が抽出されるようにすればよい。なお、感知器の情報が合計Ｎ個まで格納可能であるとき、次項表示送りスイッチ３２により、第Ｎ＋１報目を表示しようとしたときには、例えば、第１報目の表示に戻るようにする。また、前項表示送りスイッチ３１により、第１報目より前を表示しようとしたときには、第Ｎ報目を表示するようにする。このように、感知器の情報をサイクリックに表示するようにしても良い。
例えば、現在表示されている感知器の情報の到着順が５番目であり、前項表示送りスイッチ３１が操作されたとき、感知器の情報の到着順が４番目のものが抽出され、表示されればよい。また、同様の状態で、次項表示送りスイッチ３２が操作されたとき、感知器の情報の到着順が６番目のものが抽出され、表示されればよい。なお、いずれにおいても、感知器の情報が表示されたとき、未表示判定フラグを更新し、表示済みであることが設定されればよい。例えば、未表示判定フラグが１のとき、感知器の情報が未表示であると設定されていると想定する。この場合、例えば、表示済みとなったとき、未表示判定フラグが０に設定されればよい。なお、上記で説明した感知器の情報の管理については一例を示すものであり、特にこれに限定するものではない。
【００１６】
図３は、本発明の実施の形態１における火災受信機ＦＡの画面状態遷移の一例を示す図である。
ステップＳ１１において、感知器から火災信号を受信しないとき、表示領域１０１には何もイベントが表示されていない。このとき、感知器から火災信号を受信したとき、ステップＳ１２へ進む。
ステップＳ１２において、表示領域１０１には、第１報目の火災信号を送信した感知器の情報が火災表示として表示される。このとき、別の感知器から火災信号を受信したとき、ステップＳ１３へ進む。ステップＳ１３において、表示領域１０１には、第２報目の火災信号を送信した感知器の情報が火災表示として表示される。このとき、第１報目及び第２報目とは異なる感知器から火災信号を受信したとき、ステップＳ１４へ進む。ステップＳ１４において、表示領域１０１には、第１報目を送信した感知器の情報及び第２報目を送信した感知器の情報が表示されたままであるが、第１報知部４１及び第２報知部４２が、例えば、赤色点灯（図３においては、斜線塗りつぶしで表現する）し、前項表示送りスイッチ３１及び次項表示送りスイッチ３２が有効になる。つまり、予め定めた所定数、この場合においては、２以上のイベントが発生し、表示部２３に表示しきれないイベントが発生すると、前項表示送りスイッチ３１及び次項表示送りスイッチ３２が有効となり、未表示イベントがあることを前項表示送りスイッチ３１の第１報知部４１と、次項表示送りスイッチ３２の第２報知部４２で赤色点灯表示で報知する。なお、上記においては、赤色点灯表示する一例について説明したが、特にこれに限定するものではない。
この状態で、前項表示送りスイッチ３１及び次項表示送りスイッチ３２の両方または何れか一方が操作され、未表示イベントが表示部２３に表示されたとき、ステップＳ１５へ進む。
ステップＳ１５において、第１報知部４１及び第２報知部４２が黒色点灯表示（図３においては、塗りつぶし）されている。つまり、未表示イベントが全て表示領域１０１にて表示されたとき、第１報知部４１及び第２報知部４２は、未表示イベントが存在する時とは異なる態様の点灯表示をする。
【００１７】
このように、現在表示されているイベントの前後の何れかについてイベントが未表示であるか否かを報知し、スイッチ操作によってそのイベントに画面を切り換えることができる。
上記の説明では、ステップ１４において、未表示イベントが存在するときに、第１報知部４１及び第２報知部４２の両方を赤色点灯したが、表示領域１０１に表示されている感知器の情報の前に未表示イベントが存在するときには、第１報知部４１を赤色点灯し、後に未表示イベントが存在するときには第２報知部４２を赤色点灯することもできる。このようにすれば、前項表示送りスイッチ３１または次項表示送りスイッチ３２のどちらを操作すれば良いかわかりやすく、素早く未表示イベントを表示できるため、火災への対応が早く行える。
【００１８】
なお、上記の説明では色により報知内容を識別表示させる一例について説明したが、特にこれに限定するものではない。例えば、音声によって報知させてもよい。この場合には、任意のタイミングで音声による報知が行わればよい。また、照度によって報知させてもよい。この場合には、例えば、未表示の感知器の情報があるときに、第１報知部４１及び第２報知部４２の点灯照度が強くなってもよい。また、臭いによって報知させてもよい。この場合には、例えば、未表示の感知器の情報があるときに、不快な臭いを発散させてもよい。また、物理形状を変形させて報知させてもよい。この場合には、未表示の感知器の情報があるときに、第１報知部４１及び第２報知部４２がやや飛び出る形状にしてもよい。また、ホログラフィーにより報知させてもよい。この場合には、例えば、未表示の感知器の情報があるときに、バーチャルエージェントが空間上に浮かび上がることによりその旨が報知されてもよい。要するに、各々の報知内容が識別表示されればよい。
また、上記の一例では、タッチパネルによる実施例について説明したが、特にこれに限定するものではなく、例えば、押し釦スイッチにより実現されるものであってもよい。また、空間上に差し出した手の動きを撮像する撮像手段を設けておき、撮像手段が備えるモーションキャプチャー機能で手の動きを識別することにより実現されてもよい。また、音声入力手段を設け、音声入力により実現されてもよい。脳波検出手段を設け、脳波の変動により実現されてもよい。要するに、操作手段は特に限定するものではない。
また、上記の一例では、感知器の情報について説明したが、端末機器の動作の情報や火災受信機ＦＡの制御情報や故障情報等についても、イベントが多数発生し表示部２３で未表示のイベントが存在するときに同じように報知している。
【００１９】
以上のように、本実施の形態１の火災受信機は、火災感知器、中継器等の複数の端末機器が接続され、端末機器からのイベント信号を受信したとき、イベント信号を受信した順に、該イベント信号を送信した端末機器の情報を所定数表示する表示部２３を備えた火災受信機であって、表示部２３に表示されている端末機器よりも先にイベント信号を送信し、かつ表示部２３には表示されていない端末機器の情報を表示させる前項表示送りスイッチ３１と、表示部２３に表示されている端末機器よりも後にイベント信号を送信し、かつ表示部２３には表示されていない端末機器の情報を表示させる次項表示送りスイッチ３２と、端末機器のイベント情報を管理する制御部２１と、表示部２３に一度も表示されない未表示の端末機器があることを報知する第１報知部４１および第２報知部４２（未表示報知部）と、を備えている。このため、現在表示されているイベントの前後の何れかについてイベントが未確認であるか否かを報知し、スイッチ操作によってそのイベントに画面を切り換えることができる。
【符号の説明】
【００２０】
２１  制御部、２２  送受信部、２３  表示部、２４  記憶部、２５  操作部、２６  メモリ、３１  前項表示送りスイッチ、３２  次項表示送りスイッチ、４１  第１報知部、４２  第２報知部、１０１  表示領域。
【図１】
2014016684.tif 000003
【図２】
2014016684.tif 000004
【図３】
2014016684.tif 000005